(57)【要約】      （修正有）【課題】衣類などを提げるハンガーを提供する。留め具やばね等の助けを借りることなく、シャツなどを無理なく提げることができ簡単に取り外すことができる。衣類の形の崩れも生じない。畳みこめば鞄やバッグにしまいこんで運ぶこともできるハンガーを提供する。【解決手段】一対の肩部1、2と一対の枝部3、4でハンガーを構成する。一対の肩部は共通の回転軸5を有し、一対の枝部も共通の回転軸6を持つ。それぞれの枝部はそれぞれの肩部の中間部に設けられた回転軸7、8を介してそれぞれの肩部につながる。フック9の回転軸を肩部の共通回転軸5と共通とする。枝部の長さを肩部の長さの半分以下とする。枝部直線の長さを肩部直線の長さの90％以上とする。【選択図】図１
2013144052.tif 000002
【特許請求の範囲】
【請求項１】
一対の肩部と一対の枝部からなるハンガーにおいて、上記一対の肩部が共通の回転軸を有し、上記一対の枝部も共通の回転軸を持ち、さらに各々の枝部が各々の肩部の中間部に設けられた回転軸を介して各々の肩部につながっていることを特徴とするハンガー。
【請求項２】
請求項 1記載のハンガーにおいて、フックの回転軸が肩部の共通回転軸と共通であることを特徴とするハンガー。
【請求項３】
請求項 1および請求項 2記載のハンガーにおいて、枝部の長さが肩部の長さの半分以下であることを特徴とするハンガー。
【請求項４】
請求項 1、請求項 2 および請求項3記載のハンガーにおいて、枝部直線の長さが肩部直線の長さの90 ％ 以上であることを特徴とするハンガー。
【発明の詳細な説明】
【技術分野】
【０００１】
本発明は衣類などを提げるハンガーに関する。
【背景技術】
【０００２】
衣類などを提げるのにハンガーを用いる。従来のハンガーは必ずしも取扱いがやさしくはなかった。なぜならシャツの首からハンガー本体を差し込んで半分は入るがあとの半分はまだ外にある。フックを持ちながらシャツを拡げてあとの半分を中に入れる。なかなか面倒である。ハンガーを外す時も同じように手間がかかる。これを何とかしたい。さらにハンガーに提げたシャツにも問題が発生する。ハンガーの肩幅とシャツの肩幅が合わない。一般的にシャツの肩幅の方が広いためにシャツの形状が崩れてしまう。下着ならまだしもポロシャツなど上に着るものはこの形の崩れが目立ってしまう。かといって、ハンガーの肩の部分を長くするわけにはいかない。挿入時の困難が増すからである。
【０００３】
ワイシャツや上着などの場合は上記のような挿入時の問題は発生しない。しかし、同じハンガーを使うとシャツの場合と同じような形状の崩れが発生する。したがってこれを避けるためには肩口の広い専用のハンガーを使わなければならない。  
【０００４】
さらにハンガーの形状にも問題がある。大きく長い上に複雑な形状をしている。嵩張っているために使用していないときにも洋服タンスの空間を占領する。持ち運びにも適していない。できればハンガーはバッグや鞄の中などにいれて運びたいものであるがなかなかそうはいかない。
【発明の概要】
【発明が解決しようとする課題】
【０００５】
従来のハンガーは構造が複雑で取扱いに難点があった。シャツを提げるときに挿入しづらく、シャツを外すときに手間がかかる。使用後にシャツの形状が崩れてしまうなどの難点があった。さらに、畳み込むことができないのでバッグなどに入れて持ち運ぶことも容易でなかった。本発明は構造が単純で留め具やばね等の装着を必要としない。それでいてシャツを提げるときや取り外すときこれらの動作を無理なく行うことができる。またシャツの形状崩れも発生しない。さらに折りたたむこともできるハンガーを提供するものである。
【課題を解決するための手段】
【０００６】
ハンガーへの衣類の提げ外しを容易にする。そのためにハンガーを肩部と枝部で構成し各々を左右に分ける。図 1 はその一例を示したもので衣類を提げる時のハンガーの状態を示している。内部構造をわかりやすくするために透視図としてある。ハンガーは一対の肩部と一対の枝部からなる。肩部 I (1) と肩部 II (2) 、および枝部 I (3) と枝部 II (4) である。該肩部対は共通の回転軸5 を持ち、該枝部対は共通の回転軸 6 を有している。さらに各々の枝部は各々の肩部の中央部に設けられた回転軸 7 および回転軸 8 を介して肩部につながる。 9 はフックである。 
【０００７】
このハンガー形状のポイントは図 1に見られるように衣類を提げるときに枝部が上がり肩部やフック等に当たるような形になっていることである。シャツの首からハンガーを閉じた状態で差し込んで枝部を持ち上げる。枝部は肩部あるいはフックに遮られてこれ以上上にはいかない。この状態は安定状態となる。なぜならこのような形状をとると衣類を提げた時にハンガー肩部にかかる荷重は下方に向かい、枝部が開いて落ちるのを妨げるように働くからである。すなわち肩部と枝部は安定状態を保持する。 
【０００８】
図 2 は上記の記述をもう少し明確にするためのものである。図1のハンガーにおいてハンガー使用時の図2 (a) からハンガーを閉じた状態の図2 (d) までの形状の変化を示したものである。図 2 (ｂ) は枝部 I (3) と枝部 II (4) が一直線上に並んだ状態を示す。この図 2 (b) と図2 (a) を比較して肩部の傾きに注目する。図2 (b) の方が肩部が上がっていることがわかる。すなわちハンガー使用時からハンガーを閉じるためには一旦肩部を上に持ち上げなくてはならない。そして肩部は横に拡がらなくてはならない。図 2 (a) の状態で衣類がハンガーに提がっているわけだから、肩部は下部に押し下げられる力を受けており図 2 (b) へ向かうことはなく安定状態が維持される。
【０００９】
衣類を外す時には肩部を少し持ち上げて拡げる。それだけで枝部は下向きに回転を始め全体が窄まって閉じた状態に向かう。閉じた状態にすればハンガー本体をシャツの首から簡単に引き出すことができる。さらにフックを回転して肩部の内部に畳み込めば図2 (d) のようになってハンガーの空間占有率が格段に小さくなる。片づけも楽になりバッグなどにしまいやすい。
【００１０】
衣類の提げ外しが容易でありながらシャツや衣類の形状の崩れを伴わない。肩部の長さを衣類の肩幅に合わせることができ、長さを合わせたとしても提げ外しに問題は生じないからである。
【００１１】
図 1、図2において肩部の共通回転軸 5 をフック 9 も共通回転軸として使用している。これにより使い勝手が改善される。また全体の寸法を小さくするために、枝部の長さを肩部の長さの半分以下にして出っ張りをなくしている点も大事なポイントである。
【００１２】
図3は肩部の共通回転軸間直線（肩直線と略称）10と枝部の共通回転軸間直線（枝直線と略称）11の相対関係を示したものである。肩直線10は肩部の共通回転軸5と枝部と肩部の間の回転軸７を結んだ直線である。枝直線11は枝部の共通回転軸6と枝部と肩部の間の回転軸7を結んだ直線である。説明をわかりやすくするために肩部の全体像は示していない。ハンガー使用時の肩部の傾きは必ずしも決まったものはないが30度前後が一般的である。ここでもそれに倣って肩部（肩直線）の傾きを30度に設定している。この図は肩直線10の長さを100としたときに枝直線11の長さをどの程度に設定すればいいかを示すものである。図3 (a) は枝直線11の長さを95としたときの図で、図3 (b) は枝直線11の長さを90にしたときの図である。肩部の傾きを30度に維持するためには長さを90にしたのでは枝部の食い込みが浅いことがわかる。ハンガーの安定動作があまり期待できないうえ、フックの形状もそれに合わせる必要がある。一方、長さ95の場合の図3 (a) では枝部が十分肩部に近づいており安定した動作が可能である。肩部（肩直線）の傾きを30度とした場合 cos(30°) = 0.866 より枝直線11の長さを肩直線10の長さの86.6％ 以上にすることが必要である。肩部の傾きのばらつきを考慮して枝直線11の長さを肩直線10の長さの90 ％ 以上に設定する。
【００１３】
図1で示した実施例では透視図でわかるように枝部が肩部の内部に入り込む様子が示されている。肩部の断面を一部U字形にしているもので、これにより外見の良さと収納時の形状極小化を可能にする。
【発明の効果】
【００１４】
留め具やばね等の助けを借りることなく、ハンガーが使用時と格納時を行き来することを可能にする。衣類などの装着、脱着が容易であるとともに形の崩れも引き起こさない。それでいて使用時には安定した動作ができると同時に、外すのも極めて簡単に行うことができる。格納時には外見上一枚の板になって携帯に適した形になる。
【００１５】
図 2 では本発明のハンガーの開閉の動きを見ることができる。注目すべきは図 2 (a) から図 2 (b) にかけての変化である。枝部が開状態から下がっていくときに肩部は横に広がり上に押し上げられる。ハンガー使用時にはシャツなどの衣類が肩部にあたる。衣類の荷重は下方に向うから枝部が図 2 (b) の状態に向かうようには働かない。肩部や枝部に外部から力を加えない限り安定した状態が続く。 
【００１６】
図 4 は本発明の別の実施例の開閉状態を示したものである。これは肩部側面形状が角のとれた長方形になっている例である。図2 においても同様であるが、肩部と枝部は図4 (a) の安定状態を確保するように形成されている。枝部はフックに遮られて当たったところで止まる。 
【００１７】
以上の説明でわかるようにハンガーを衣類に挿入するときは閉じた状態で行い、そのあとでハンガーを開いて開状態にする。これによりシャツなどを提げることが容易に行える。さらに肩部の長さの制限がないからシャツなどの形が崩れてしまうこともない。また衣類を外すことも同じく簡単に行うことができる。
【００１８】
図 5 は図 4 の実施例における閉じた状態を示している。外観図の図 5 (a) および（b)と透視図の図 5 (a’) および（b’)両者を示したもので、使用しないときにフックを掛けて吊るしておく場合とフックも中にしまいこんだ状況の両者を示している。ハンガーを閉じたときにフックを中にしまうことにより全体形状をさらに小さくすることができる。図5 (b) および（b’) がその様子を示す。鞄などに入れて運びやすくなるので携帯に便利で旅行などに携行しやすい。
【００１９】
図 7 は肩部にスライドを設けた実施例を示す。シャツの肩形状に合わせてスライドを動かしてシャツの肩先に合わせる。
【図面の簡単な説明】
【００２０】
【図１】本発明の1実施例。ハンガーの使用状態を示す。わかりやすくするために透視図としている。
【図２】図1の実施例におけるハンガーの開閉状況を透視図で示す。図2 (a) は使用時の状態、(b)、(c) は開閉の中間状態、 (d) はハンガーを閉じた状態を示す。
【図３】肩直線と枝直線の間の長さの相対関係を示す図である。
【図４】本発明の別の実施例。ハンガーの開閉状況を透視図で示す。
【図５】図4の実施例の閉じた状況を示す。外観図 図5 (a)、 (b) と透視図 (a’)、(b’) の両者を示している。  図5 (b) と (b’) はフックも中にしまいこんだ状態を示す。
【図６】本発明の別の実施例を示す。肩部の幅を狭くとった場合の例である。
【図７】本発明の 1 実施例である。肩部にスライドをつけることにより衣類の肩形状に合わせることができる。
【発明を実施するための形態】
【００２１】
一対の肩部と一対の枝部でハンガーを構成する。一対の肩部は共通の回転軸を有し、一対の枝部も共通の回転軸を持つ。各々の枝部は各々の肩部の中間地点に設けられた回転軸を介して各々の肩部と繋がる。
【００２２】
フックの回転軸を肩部の共通回転軸と共通にする。
【００２３】
枝部の長さを肩部の長さの半分以下とする。
【００２４】
枝部直線の長さを肩部直線の長さの90 ％以上とする
【実施例１】
【００２５】
図1は本発明の一実施例を示したものである。ハンガー使用時の図である。枝部がフックに当たって止まりこれ以上上にはいかない。この状態で開状態が安定に保たれる。
【実施例２】
【００２６】
図 4は本発明の別の実施例を示したものである。開閉状態を透視図にして示している。図5はこの実施例の閉状態を透視図と外観図で示す。
【実施例３】
【００２７】
図 6 は本発明の別の実施例を示したものである。
【実施例４】
【００２８】
図 7 は本発明の別の実施例を示したものである。肩部にスライドがついている例を示す。
【符号の説明】
【００２９】
１．  肩部 I
２．  肩部 II
３．  枝部 I
４．  枝部 II
５．  肩部共通回転軸
６．  枝部共通回転軸
７．  肩部 I と枝部 I の共通回転軸
８．  肩部 II と枝部 II の共通回転軸
９．  フック
１０．肩部が関わる二つの共通回転軸を結んだ直線
１１．枝部が関わる二つの共通回転軸を結んだ直線
１２．スライド  
【図１】
2013144052.tif 000003
【図２】
2013144052.tif 000004
【図３】
2013144052.tif 000005
【図４】
2013144052.tif 000006
【図５】
2013144052.tif 000007
【図６】
2013144052.tif 000008
【図７】
2013144052.tif 000009